(57)【要約】【課題】ペットの胴周りに対し良好にフィットするペット用使い捨ておむつを提供する。【解決手段】  胴周り領域１１０と、股下領域１２０と、胴周り開口１３０と、一対の脚周り開口１４０と、吸収性コア１６０と、尻尾挿通開口１５０と、胴周り領域１１０に伸長状態にて配置された胴周り用伸縮性弾性部材１７２とを有し、外側領域１００Ｚ１に配置されるとともに、胴周り領域１１０における二つの領域である第１胴周り領域１１１と第２胴周り領域１１２との間の距離を縮めることにより、胴周り領域１１０の周囲長さを縮める調整部２２０を有する。【選択図】  図２
2014233257.tif 000002
【特許請求の範囲】
【請求項１】
ペット用使い捨てパンツ型おむつにおいて、
胴周り領域と、股下領域と、胴周り開口と、一対の脚周り開口と、ペットに装着された状態において前記ペットに向けられる領域である内側領域と、当該内側領域と対向する領域である外側領域と、吸収性コアと、尻尾挿通開口と、前記胴周り領域に伸長状態にて配置された伸縮性弾性部材と、を有し、
前記外側領域に配置されるとともに、前記胴周り領域における二つの領域である第１胴周り領域と第２胴周り領域との間の距離を縮めることにより、前記胴周り領域の周囲長さを縮める調整部を有することを特徴とするペット用使い捨てパンツ型おむつ。
【請求項２】
請求項１に記載されたペット用使い捨てパンツ型おむつにおいて、
前記調整部は、前記胴周り開口方向における前記胴周り領域に設けられることを特徴とするペット用使い捨てパンツ型おむつ。
【請求項３】
請求項１に記載されたペット用使い捨てパンツ型おむつにおいて、
前記調整部は、前記脚周り開口方向における前記胴周り領域に設けられることを特徴とするペット用使い捨てパンツ型おむつ。
【請求項４】
請求項１に記載されたペット用使い捨てパンツ型おむつにおいて、
前記調整部は、前記胴周り開口方向における前記胴周り領域に設けられる第１調整部と、前記脚周り開口方向における前記胴周り領域に設けられる第２調整部とを有することを特徴とするペット用使い捨てパンツ型おむつ。
【請求項５】
請求項１〜４のいずれか１項に記載されたペット用使い捨てパンツ型おむつにおいて、
前記胴周り領域は、腹側胴周り領域と、背側胴周り領域とを有することを特徴とするペット用使い捨てパンツ型おむつ。
【請求項６】
請求項１〜５のいずれか１項に記載されたペット用使い捨てパンツ型おむつにおいて、
前記第１胴周り領域は前記背側胴周り領域に形成され、前記第２胴周り領域は前記腹側胴周り領域に形成されることを特徴とするペット用使い捨てパンツ型おむつ。
【請求項７】
請求項１〜５のいずれか１項に記載されたペット用使い捨てパンツ型おむつにおいて、
前記第１胴周り領域は前記腹側胴周り領域に形成され、前記第２胴周り領域は前記背側胴周り領域に形成されることを特徴とするペット用使い捨てパンツ型おむつ。
【請求項８】
請求項１〜５のいずれか１項に記載されたペット用使い捨てパンツ型おむつにおいて、
前記第１胴周り領域および前記第２胴周り領域は、前記背側胴周り領域に形成されることを特徴とするペット用使い捨てパンツ型おむつ。
【請求項９】
請求項１〜５のいずれか１項に記載されたペット用使い捨てパンツ型おむつにおいて、
前記第１胴周り領域および前記第２胴周り領域は、前記腹側胴周り領域に形成されることを特徴とするペット用使い捨てパンツ型おむつ。
【請求項１０】
請求項１〜９のいずれか１項に記載されたペット用使い捨てパンツ型おむつにおいて、
前記調整部は、前記第１胴周り領域に配置される第１配置部と、前記第２胴周り領域に配置される第２配置部と、前記第１胴周り領域と前記第２胴周り領域との間に設けられる調整本体部とを有することを特徴とするペット用使い捨てパンツ型おむつ。
【発明の詳細な説明】
【技術分野】
【０００１】
本発明は、ペット用使い捨てパンツ型おむつに関する。
【背景技術】
【０００２】
犬や猫に代表されるペットを、家屋内で飼育することは一般的である。このため、種々のペット用使い捨ておむつが販売されている。例えば、特開２０１２−１７８９７６号に示される構造のペット用使い捨てパンツ型おむつが提案されている。
【先行技術文献】
【特許文献】
【０００３】
【特許文献１】特開２０１２−１７８９７６号公報
【発明の概要】
【発明が解決しようとする課題】
【０００４】
特開２０１２−１７８９７６号に記載されたペット用使い捨てパンツ型おむつは、ペットのウエスト下部に適合させるための伸縮性弾性部材を有する。この伸縮性弾性部材は、均一の伸縮応力を有していた。
一方、例えばペット用使い捨てパンツ型おむつを着用するペットが犬であった場合、犬種によりウエスト下部の形状が大きく異なっていた。よって、ウエスト下部の伸縮性弾性部材が均一の伸縮応力を有する場合は、排泄物がペット用使い捨てパンツ型おむつから漏れる恐れがあった。
【０００５】
本発明は、このような点に鑑みて創案されたものであり、ペットの胴周りに対し良好にフィットするペット用使い捨てパンツ型おむつを提供することを目的とする。
【課題を解決するための手段】
【０００６】
上記課題を解決するため、本発明に係るペット用使い捨てパンツ型おむつの好ましい形態によれば、胴周り領域と、股下領域と、胴周り開口と、一対の脚周り開口と、ペットに装着された状態において前記ペットに向けられる領域である内側領域と、当該内側領域と対向する領域である外側領域と、吸収性コアと、尻尾挿通開口と、前記胴周り領域に伸長状態にて配置された伸縮性弾性部材と、を有し、前記外側領域に配置されるとともに、前記胴周り領域における二つの領域である第１胴周り領域と第２胴周り領域との間の距離を縮めることにより、前記胴周り領域の周囲長さを縮める調整部を有する。
【０００７】
また本発明に係る解決手段の一態様として、前記調整部は、前記胴周り開口方向における前記胴周り領域に設けられる。
【０００８】
また本発明に係る解決手段の一態様として、前記調整部は、前記脚周り開口方向における前記胴周り領域に設けられる。
【０００９】
また本発明に係る解決手段の一態様として、前記調整部は、前記胴周り開口方向における前記胴周り領域に設けられる第１調整部と、前記脚周り開口方向における前記胴周り領域に設けられる第２調整部とを有する。
【００１０】
また本発明に係る解決手段の一態様として、前記胴周り領域は、腹側胴周り領域と、背側胴周り領域とを有する。
【００１１】
また本発明に係る解決手段の一態様として、前記第１胴周り領域は前記背側胴周り領域に形成され、前記第２胴周り領域は前記腹側胴周り領域に形成される。
【００１２】
また本発明に係る解決手段の一態様として、前記第１胴周り領域は前記腹側胴周り領域に形成され、前記第２胴周り領域は前記背側胴周り領域に形成される。
【００１３】
また本発明に係る解決手段の一態様として、前記第１胴周り領域および前記第２胴周り領域は、前記背側胴周り領域に形成される。
【００１４】
また本発明に係る解決手段の一態様として、前記第１胴周り領域および前記第２胴周り領域は、前記腹側胴周り領域に形成される。
【００１５】
また本発明に係る解決手段の一態様として、前記調整部は、前記第１胴周り領域に配置される第１配置部と、前記第２胴周り領域に配置される第２配置部と、前記第１胴周り領域と前記第２胴周り領域との間に設けられる調整本体部と、を有する。
【発明の効果】
【００１６】
本発明に係るペット用使い捨てパンツ型おむつは、調整部を有する。よって、ペットに対するフィット性が高いペット用使い捨てパンツ型おむつを提供することができる。
【図面の簡単な説明】
【００１７】
【図１】本発明の実施形態に係るペット用使い捨てパンツ型おむつを示す斜視図である。
【図２】本発明の実施形態に係るペット用使い捨てパンツ型おむつをペットに着用した状態を示す説明図である。
【図３】図２のＸＩ−ＸＩ線における断面図である。
【図４】本発明の第１の変形例に係るペット用使い捨てパンツ型おむつの説明図である。
【図５】本発明の第２の変形例に係るペット用使い捨てパンツ型おむつの説明図である。
【図６】本発明の第３の変形例に係るペット用使い捨てパンツ型おむつの説明図である。
【図７】本発明の第３の変形例に係るペット用使い捨てパンツ型おむつの説明図である。
【図８】本発明の第４の変形例に係る調整部の説明図である。
【図９】本発明の第５の変形例に係る調整部の説明図である。
【発明を実施するための最良の形態】
【００１８】
（実施形態）
以下に、本発明に係る実施形態を図１〜図３により説明する。
図１は本発明に係るペット用使い捨てパンツ型おむつ１００である。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
【００１９】
ペット用使い捨てパンツ型おむつ１００は、胴周り領域１１０と、股下領域１２０と、胴周り開口１３０と、一対の脚周り開口１４０と、吸収性コア１６０と、尻尾挿通開口１５０と、伸縮性弾性部材１７０とを有する。脚周り開口１４０に近接した領域には、脚周り用伸縮性弾性部材１７３が配置される。
このペット用使い捨てパンツ型おむつ１００が、本発明に係る「ペット用使い捨てパンツ型おむつ」の一例である。この胴周り領域１１０が、本発明に係る「胴周り領域」の一例である。この股下領域１２０が、本発明に係る「股下領域」の一例である。この胴周り開口１３０が、本発明に係る「胴周り開口」の一例である。この脚周り開口１４０が、本発明に係る「脚周り開口」の一例である。この吸収性コア１６０が、本発明に係る「吸収性コア」の一例である。この尻尾挿通開口１５０が、が、本発明に係る「尻尾挿通開口」の一例である。
【００２０】
本発明の実施形態において、胴周り領域１１０と、股下領域１２０と、胴周り開口１３０と、一対の脚周り開口１４０と、吸収性コア１６０と、尻尾挿通開口１５０と、伸縮性弾性部材１７０と、胴周り開口１３０とに代表されるペット用使い捨てパンツ型おむつ１００を構成する要素や素材、およびその組み合わせや配置形態は、周知のペット用使い捨てパンツ型おむつに種々提案されているものを適宜選択し、組み合わせることができる。
【００２１】
ペット用使い捨てパンツ型おむつ１００は、長手方向Ｙを有する。長手方向Ｙは、胴周り領域１１０と、股下領域１２０とに連続する方向である。長手方向Ｙと交差する方向は、長手交差方向Ｘとされる。長手方向Ｙと長手交差方向Ｘの双方に交差する方向は、厚み方向Ｚとされる。なお、本発明において「交差する」とは、格別な説明のない限り「直交する」と同じ意味である。
胴周り領域１１０は、長手方向Ｙにおいて、胴周り開口１３０から、胴周り開口１３０側における脚周り開口１４０の端部に亘る領域である。
一方、股下領域１２０は、長手方向Ｙにおいて、胴周り開口１３０側における脚周り開口１４０の端部から、胴周り開口１３０と対向する端部に亘る領域である。
【００２２】
胴周り領域１１０は、長手方向Ｙにおいて、長手方向Ｙにおける中間点である胴周り領域中心点１１０ＹＣを有する。長手方向Ｙにおいて、胴周り領域中心点１１０ＹＣから、胴周り開口１３０へ向かう方向を、胴周り開口方向１００Ｙ１とする。長手方向Ｙにおいて、胴周り領域中心点１１０ＹＣから、股下領域１２０へ向かう方向を脚周り開口方向１００Ｙ２とする。
胴周り領域１１０において、胴周り領域中心点１１０ＹＣから胴周り開口方向１１０Ｙ１側の領域を、胴周り開口方向領域１１０Ａとする。胴周り領域１１０において、胴周り領域中心点１１０ＹＣから脚周り開口方向１１０Ｙ２側の領域を、脚周り開口方向領域１１０Ｂとする。
この胴周り開口方向領域１１０Ａが、本発明に係る「前記胴周り開口方向における前記胴周り領域」の一例である。この脚周り開口方向領域１１０Ｂが、本発明に係る「前記脚周り開口方向における前記胴周り領域」の一例である。
【００２３】
胴周り領域１１０は、ペット用使い捨てパンツ型おむつ１００をペットＰに装着した状態において、ペットＰの腹側に配置される腹側胴周り領域１１０Ｃを有する。胴周り領域１１０は、ペット用使い捨てパンツ型おむつ１００をペットＰに装着した状態において、ペットの背側に配置される背側胴周り領域１１０Ｄを有する。この腹側胴周り領域１１０Ｃと背側胴周り領域１１０Ｄは、接合部１９０により接合される。この接合部１９０における接合は、溶着、接着等の周知の方法を選択できる。
この腹側胴周り領域１１０Ｃが本発明に係る「腹側胴周り領域」の一例である。この背側胴周り領域１１０Ｄが、本発明に係る「背側胴周り領域」の一例である。
【００２４】
伸縮性弾性部材１７０は、胴周り開口用伸縮性弾性部材１７１、胴周り用伸縮性弾性部材１７２、脚周り用伸縮性弾性部材１７３とにより構成される。伸縮性弾性部材１７０は、所定の張力が加えられた状態でペット用使い捨てパンツ型おむつ１００に配置される。伸縮性弾性部材１７０は、糸状の合成ゴムや天然ゴムや、伸縮性を有する不織布により形成される。
【００２５】
胴周り開口用伸縮性弾性部材１７１は、胴周り開口１３０に隣接する胴周り領域１１０を確実にペットＰに対しフィットをさせるために配置される。胴周り用伸縮性弾性部材１７２は、胴周り領域１１０をペットＰに対しフィットさせるために配置される。一方、胴周り用伸縮性弾性部材１７２の伸縮応力があまりにも強いと、ペットの胴を締め付けてしまう恐れがある。よって、胴周り用伸縮性弾性部材１７２は、胴周り開口用伸縮性弾性部材１７１よりも弱い伸縮応力を有する。
この胴周り開口用伸縮性弾性部材１７１および胴周り用伸縮性弾性部材１７２が、本発明に係る「伸縮性弾性部材」の一例である。
【００２６】
ペット用使い捨てパンツ型おむつ１００は、ペット用使い捨てパンツ型おむつ１００が、ペットＰに装着された状態において、ペットＰに向けられる領域である内側領域１００Ｚ２を有する。ペット用使い捨てパンツ型おむつ１００は、内側領域１００Ｚ２と対向する領域である外側領域１００Ｚ１を有する。この内側領域１００Ｚ２が、本発明に係る「内側領域」の一例である。この外側領域１００Ｚ１が、本発明に係る「外側領域」の一例である。
【００２７】
調整部２００は、ペット用使い捨てパンツ型おむつ１００の胴周り領域１１０における外側領域１００Ｚ１に配置される。調整部２００は、胴周り領域１１０に配置される第１配置部２００Ａを有する。調整部２００は、胴周り領域１１０に配置される第２配置部２００Ｂを有する。調整部２００は、第１配置部２００Ａと第２配置部２００Ｂとの間に形成された調整本体部２００Ｃを有する。
胴周り領域１１０において、第１配置部２００Ａが配置される領域が第１胴周り領域１１１とされる。胴周り領域１１０において、第２配置部２００Ｂが配置される領域が、第２胴周り領域１１２とされる。
この調整部２００が、本発明に係る「調整部」の一例である。この第１胴周り領域１１１が、本発明に係る「第１胴周り領域」の一例である。この第２胴周り領域１１２が、本発明に係る第「第２胴周り領域」の一例である。この第１配置部２００Ａが、本発明に係る「第１配置部」の一例である。この第２配置部２００Ｂが、本発明に係る「第２配置部」の一例である。この調整本体部２００Ｃが、本発明に係る「調整本体部」の一例である。
【００２８】
本発明の調整部２００は、不織布や合成樹脂によるフィルムにより形成される。調整部２００は、実現しようとする用途により、伸縮性を有する構成とすることができる。また、調整部２００は、伸縮性を有さない構成とすることができる。
【００２９】
本発明の実施形態に係るペット用使い捨てパンツ型おむつ１００においては、調整部２００の第１配置部２００Ａは、胴周り領域１００に固定される固定部２００Ｄを形成する。すなわち、固定部２００Ｄは、接着剤や溶着などにより、第１配置部２００Ａと胴周り領域１１０の第１胴周り領域１１１を固定することにより形成される。この固定部２００Ｄが、本発明に係る「固定部」の一例である。
【００３０】
本発明の実施形態に係るペット用使い捨てパンツ型おむつ１００においては、調整部２００の第２配置部２００Ｂは、胴周り領域１００に着脱自在に止着される止着部２００Ｅを形成する。一方、この止着部２００Ｅが止着される胴周り領域１１０の第２胴周り領域１１２は、止着領域２００Ｆが形成される。
この着脱自在に形成された止着部２００Ｅと、止着領域２００Ｆは、周知の構成が適宜選択される。本発明の実施形態に係るペット用使い捨てパンツ型おむつ１００においては、止着部２００Ｅは、複数のフックからなるフック部（図示しない）により形成される。また、止着領域２００Ｆは、フック部のフックに係止されるループ部を有するターゲットテープが、胴周り領域１１０の所定領域に配置されることにより形成される。
なお、このように止着部２００Ｅとしてフック部を使用する場合には、フック部と係合可能な不織布を胴周り領域１１０の所定領域に用いることにより、止着領域２００Ｆを形成することができる。また、止着部２００Ｅを粘着剤により形成する場合には、止着領域２００Ｆとして合成樹脂製のフィルムを使用することができる。
この止着部２００Ｅが、本発明に係る「止着部」の一例である。
【００３１】
図２に示す通り、ペット用使い捨てパンツ型おむつ１００における調整部２００は、胴周り開口方向領域１１０Ａの外側領域１００Ｚ１に設けられる。調整部２００の第１配置部２００Ａである固定部２００Ｄが、背側胴周り領域１１０Ｄに設けられる。調整部２００の第２配置部２００Ｂである係止部２００Ｅが、胴周り開口方向領域１１０Ａの止着領域２００Ｆに係止される。よって、胴周り開口方向領域１１０Ａにおける第１胴周り領域１１１と第２胴周り領域１１２との間の距離が調整部２００により縮められる。従って、胴周り領域１１０の長手交差方向Ｘにおける周囲の長さが縮められる。なお、この第１胴周り領域１１１と第２胴周り領域１１２との間は、調整領域１８０とされる。調整領域１８０には、第１胴周り領域１１１と第２胴周り領域１１２の間において縮められた距離である胴周り領域１１０の所定部分が、余剰部１８１を形成する。この余剰部１８１は、胴周り領域１１０の長手交差方向Ｘにおいて、ペットＰの胴周りに対する周囲長さを構成しない部分である。
【００３２】
次に、本発明の実施形態に係るペット用使い捨てパンツ型おむつの作用につき説明する。
まず、ユーザは、ペット用使い捨てパンツ型おむつ１００をペットＰに着用させる。次に、胴周り開口方向領域１１０Ａに設けられている調整部２００により、胴周り領域１１０における長手交差方向Ｘの周囲長さを調整する。すなわち、腹側胴周り領域１１０Ｃの第２配置部２００Ｂを把持し、引っ張るとともに、所定の係止領域２００Ｆへと係止部２００Ｅを係止する。この際、背側胴周り領域１１０Ｄの第１配置部２００Ａは固定部Ｄにより固定されているため、ユーザは、円滑に作業を行うことができる。
この結果、第１配置部２００Ａと第２配置部２００Ｂが配置される第１胴周り領域１１１と第２胴周り領域１１２との間には、余剰部１８１が構成される。よって、胴周り領域１１０の長手交差方向Ｘにおいて、ペットＰの胴周りに対する周囲長さが調整される。
従って、ペット用使い捨てパンツ型おむつ１００を、ペットＰに対してフィットさせることが可能となる。
【００３３】
なお、ペット用使い捨てパンツ型おむつ１００においては、まずペットＰに着用する必要がある。よって、伸縮性弾性部材が収縮した状態におけるペット用使い捨てパンツ型おむつ１００の胴周り領域１１０の周囲長さは、ペットＰの胴周りにおける周囲長さと同一であることが理想とされる。
また、調整部２００によって調整されたペット用使い捨てパンツ型おむつ１００の胴周り領域１１０の周囲長さは、調整部２００によって調整されていないペット用使い捨てパンツ型おむつ１００の胴周り領域１００の周囲長さの７０パーセントから９０パーセントであることが好ましい。
【００３４】
なお、上述した調整部２００においては、第１配置部２００Ａを背側胴周り領域１１０Ｄに、第２配置部２００Ｂを腹側胴周り領域１１０Ｃに配置した。一方、調整部２００の配置位置は、胴周り領域１１０の他の位置とすることができる。
例えば、調整部２００の第１配置部２００Ａを腹側胴周り領域１１０Ｃに設け、第２配置部２００Ｂを背側胴周り領域１１０Ｄに設けることができる。この場合、第１胴周り領域１１１は腹側胴周り領域１１０Ｃに形成され、第２胴周り領域１１２は背側胴周り領域１１０Ｄに形成される。
例えば、調整部２００の第１配置部２００Ａと、第２配置部２００Ｂの双方を背側胴周り領域１１０Ｄに設けることができる。この場合、第１胴周り領域１１１と、第２胴周り領域１１２は、ともに背側胴周り領域１１０Ｄに形成される。
例えば、調整部２００の第１配置部２００Ａと、第２配置部２００Ｂの双方を腹側胴周り領域１１０Ｃに設けることができる。この場合、第１胴周り領域１１１と、第２胴周り領域１１２は、ともに腹側胴周り領域１１０Ｃに形成される。
【００３５】
以下、図４〜図９に基づき、本発明に係る第１の変形例〜第５の変形例を説明する。なお、第１の変形例〜第５の変形例の説明において、上記実施形態と同様の構成を有する構成要素は、その説明、図面符号などを省略する。
【００３６】
（第１の変形例）
本発明に係る第１の変形例を、図４に基づき説明する。
上述した本発明の実施形態に係るペット用使い捨てパンツ型おむつ１００に比して、第１の変形例に係るペット用使い捨てパンツ型おむつ１０１においては、調整部２００の配置位置が異なる。
すなわち、ペット用使い捨てパンツ型おむつ１０１における調整部２００は、脚周り開口方向領域１１０Ｂに設けられている。この構成により、ユーザは、脚周り開口方向領域１１０Ｂの長手交差方向Ｘにおける、胴周り領域１１０の周囲長さを調整することができる。
【００３７】
（第２の変形例）
本発明に係る第２の変形例を、図５に基づき説明する。
上述した本発明の実施形態に係るペット用使い捨てパンツ型おむつ１００に比して、第２の変形例に係るペット用使い捨てパンツ型おむつ１０２においては、調整部２００の数および配置位置が異なる。
すなわち、ペット用使い捨てパンツ型おむつ１０２における調整部２００は、胴周り開口方向領域１１０Ａに設けられる第１調整部２０１と、脚周り開口方向領域１１０Ｂに設けられる第２調整部２０２とからなる。この構成により、ユーザは、胴周り開口方向領域１１０Ａおよび脚周り開口方向領域１１０Ｂの長手交差方向Ｘにおける、胴周り領域１１０の周囲長さを調整することができる。
この第１調整部２０１が、本発明に係る「第１調整部」の一例である。この第２調整部２０２が、本発明に係る「第２調整部」の一例である。
【００３８】
（第３の変形例）
本発明に係る第３の変形例を、図６および図７に基づき説明する。
上述した本発明の実施形態に係るペット用使い捨てパンツ型おむつ１００に比して、第３の変形例に係るペット用使い捨てパンツ型おむつ１０３においては、調整部の構成が異なる。すなわち、第３の変形例に係る調整部２１０は、第１配置部２００Ａと第２配置部２００Ｂの双方に、止着部２００Ｅが形成されている。そして、止着部２００Ｅが着脱自在に係止し得る胴周り領域１１０の所定領域には、止着領域２００Ｆが形成されている。
第３の変形例においては、上述した実施形態と比較して、ペット用使い捨てパンツ型おむつ１０３に対する調整部２１０の配置箇所の自由度が向上する。
【００３９】
（第４の変形例）
本発明に係る第４の変形例を、図８に基づき説明する。
上述した本発明の実施形態に係るペット用使い捨てパンツ型おむつ１００に比して、第４の変形例に係るペット用使い捨てパンツ型おむつ１０４（図示せず）においては、調整部の構成が異なる。すなわち、第４の変形例に係る調整部２２０は、環状に形成された環状部２２１と、環状部２２１に伸長状態で設けられた環状部伸縮性弾性部材２２２とからなる。この環状部２２１が、本発明に係る「環状部」の一例である。この環状部伸縮性弾性部材２２２が、本発明に係る「環状部伸縮性弾性部材」の一例である。
環状部２２１は、２層の不織布により形成される。環状部伸縮弾性部材２２２は、この２層の不織布の間に、糸状のゴムを伸長状態にて配置することにより形成される。
【００４０】
第４の変形例の作用につき説明する。ユーザは、ペット用使い捨てパンツ型おむつ１０４（図示せず）をペットＰに装着する。ユーザは、調整部２２０を、胴周り領域１１０の長手交差方向Ｘに概ね沿った方向に配置する。この際、ユーザは、環状部伸縮性弾性部材２２２を伸長させた状態にて、調整部２２０をペットＰに装着する。この状態において、ユーザが調整部２２０から手を離すと、環状部伸縮性弾性部材２２２が収縮する。これにより、調整部２２０が配置された胴周り領域１１０の所定領域には、余剰部１８１が形成される。よって、胴周り領域１１０の長手交差方向Ｘにおいて、ペットＰの胴周りに対する周囲長さが調整される。
なお、この第４の変形例においては、胴周り領域１８１において、余剰部１８１の両端に相当する領域が、それぞれ第１胴周り領域１１１と第２胴周り領域１１２とされる。なお、調整部２２０の配置形態によっては、余剰部１８１が複数形成される。この場合は、複数の余剰部１８１に伴い、第１胴周り領域１１１と第２胴周り領域１１２がそれぞれ複数形成される。
【００４１】
（第５の変形例）
本発明に係る第５の変形例を、図９に基づき説明する。
上述した本発明の実施形態に係るペット用使い捨てパンツ型おむつ１００に比して、第５の変形例に係るペット用使い捨てパンツ型おむつ１０５（図示せず）においては、調整部の構成が異なる。すなわち、第５の変形例に係る調整部２３０は、帯状に形成された帯状体２３１と、帯状部２３１に設けられた第１帯状体領域２３２と、第２帯状体領域２３３と、第１帯状部領域２３２と第２帯状部領域２３３との任意の位置を着脱自在に係止する帯状体係止部２３４とからなる。この帯状部２３１が、本発明に係る「帯状部」の一例である。この第１帯状領域２３２が、本発明に係る「第１帯状体領域」の一例である。この第２帯状領域２３３が、本発明に係る「第２帯状体領域」の一例である。この帯状係止部２３４が、本発明に係る「帯状体係止部」の一例である。
【００４２】
帯状体２３１は、不織布、フィルム、発泡性の合成樹脂シート等により形成される。帯状体２３１は、伸縮性を有することができる。また、帯状体２３１は伸縮性を有さないこともできる。
第１帯状体領域２３２は、帯状体２３１における一方の端部側に形成される。第２帯状体領域２３３は、帯状体２３１における他方の端部側に形成される。
帯状体係止部２３４は、第１帯状体領域２３２と第２帯状体領域２３３とを着脱自在に係止するために、周知の技術を適宜選択することができる。例えば、第１帯状体領域２３２の所定位置に、複数のフックからなるフック部（図示しない）を設けることができる。そして、第２帯状体領域２３３の所定位置に、フック部のフックに係止されるループ部を有するターゲットテープを設けることができる。
【００４３】
第５の変形例の作用につき説明する。ユーザは、ペット用使い捨てパンツ型おむつ１０５（図示せず）をペットＰに装着する。ユーザは、調整部２３０を、胴周り領域１１０の長手交差方向Ｘに概ね沿った方向に配置する。そして、帯状体２３１に所定の張力を付与しつつ、第１帯状体領域２３２と第２帯状体領域２３３とを帯状体係止部２３４により係止する。これにより、調整部２３０が配置された胴周り領域１１０の所定領域には、余剰部１８１が形成される。よって、胴周り領域１１０の長手交差方向Ｘにおいて、ペットＰの胴周りに対する周囲長さが調整される。
なお、この第５の変形例においては、胴周り領域１８１において、余剰部１８１の両端に相当する領域が、それぞれ第１胴周り領域１１１と第２胴周り領域１１２とされる。なお、調整部２３０の配置形態によっては、余剰部１８１が複数形成される。この場合は、複数の余剰部１８１に伴い、第１胴周り領域１１１と第２胴周り領域１１２がそれぞれ複数形成される。
【００４４】
なお、本発明に係るペット用使い捨ておむつの構成は上述した構造に限らないものである。また、実施形態、第１の変形例〜第５の変形例に係る構成を、それぞれ組み合わせることも可能である。
【００４５】
（実施の形態と本発明の各構成要素の対応について）
ペット用使い捨てパンツ型おむつ１００、１０１、１０２、１０３、１０４、１０５は、本発明に係る「ペット用使い捨てパンツ型おむつ」の一例である。胴周り領域１１０は、本発明に係る「胴周り領域」の一例である。股下領域１２０は、本発明に係る「股下領域」の一例である。胴周り開口１３０は、本発明に係る「胴周り開口」の一例である。脚周り開口１４０は、本発明に係る「脚周り開口」の一例である。吸収性コア１６０は、本発明に係る「吸収性コア」の一例である。尻尾挿通開口１５０は、本発明に係る「尻尾挿通開口」の一例である。胴周り開口用伸縮性弾性部材１７１および胴周り用伸縮性弾性部材１７２は、本発明に係る「伸縮性弾性部材」の一例である。内側領域１００Ｚ２は、本発明に係る「内側領域」の一例である。外側領域１００Ｚ１は、本発明に係る「外側領域」の一例である。調整部２００、２１０、２２０、２３０は、本発明に係る「調整部」の一例である。第１胴周り領域１１１は、本発明に係る「第１胴周り領域」の一例である。第２胴周り領域１１２は、本発明に係る第「第２胴周り領域」の一例である。胴周り開口方向領域１１０Ａは、本発明に係る「前記胴周り開口方向における前記胴周り領域」の一例である。脚周り開口方向領域１１０Ｂは、本発明に係る「前記脚周り開口方向における前記胴周り領域」の一例である。第１調整部２０１は、本発明に係る「第１調整部」の一例である。第２調整部２０２は、本発明に係る「第２調整部」の一例である。腹側胴周り領域１１０Ｃは、本発明に係る「腹側胴周り領域」の一例である。背側胴周り領域１１０Ｄは、本発明に係る「背側胴周り領域」の一例である。第１配置部２００Ａは、本発明に係る「第１配置部」の一例である。第２配置部２００Ｂは、本発明に係る「第２配置部」の一例である。調整本体部２００Ｃは、本発明に係る「調整本体部」の一例である。固定部２００Ｄは、本発明に係る「固定部」の一例である。止着部２００Ｅは、本発明に係る「止着部」の一例である。環状部２２１は、本発明に係る「環状部」の一例である。環状部伸縮弾性部材２２２は、本発明に係る「環状部伸縮性弾性部材」の一例である。帯状部２３１は、本発明に係る「帯状部」の一例である。第１帯状領域２３２は、本発明に係る「第１帯状体領域」の一例である。第２帯状領域２３３は、本発明に係る「第２帯状体領域」の一例である。帯状係止部２３４は、本発明に係る「帯状体係止部」の一例である。
【００４６】
以上の本発明の特質に鑑み、以下の各種の構成態様が構築できる。
（態様１）
ペット用使い捨てパンツ型おむつにおいて、
胴周り領域と、股下領域と、胴周り開口と、一対の脚周り開口と、ペットに装着された状態において前記ペットに向けられる領域である内側領域と、当該内側領域と対向する領域である外側領域と、吸収性コアと、尻尾挿通開口と、前記胴周り領域に伸長状態にて配置された伸縮性弾性部材と、を有し、
前記外側領域に配置されるとともに、前記胴周り領域における二つの領域である第１胴周り領域と第２胴周り領域との間の距離を縮めることにより、前記胴周り領域の周囲長さを縮める調整部を有することを特徴とするペット用使い捨てパンツ型おむつ。
【００４７】
（態様２）
態様１に記載されたペット用使い捨てパンツ型おむつにおいて、
前記調整部は、前記胴周り開口方向における前記胴周り領域に設けられることを特徴とするペット用使い捨てパンツ型おむつ。
【００４８】
（態様３）
態様１に記載されたペット用使い捨てパンツ型おむつにおいて、
前記調整部は、前記脚周り開口方向における前記胴周り領域に設けられることを特徴とするペット用使い捨てパンツ型おむつ。
【００４９】
（態様４）
態様１に記載されたペット用使い捨てパンツ型おむつにおいて、
前記調整部は、前記胴周り開口方向における前記胴周り領域に設けられる第１調整部と、前記脚周り開口方向における前記胴周り領域に設けられる第２調整部と、を有することを特徴とするペット用使い捨てパンツ型おむつ。
【００５０】
（態様５）
態様１〜４のいずれか１項に記載されたペット用使い捨てパンツ型おむつにおいて、
前記胴周り領域は、腹側胴周り領域と、背側胴周り領域とを有することを特徴とするペット用使い捨てパンツ型おむつ。
【００５１】
（態様６）
態様１〜５のいずれか１項に記載されたペット用使い捨てパンツ型おむつにおいて、
前記第１胴周り領域は前記背側胴周り領域に形成され、前記第２胴周り領域は前記腹側胴周り領域に形成されることを特徴とするペット用使い捨てパンツ型おむつ。
【００５２】
（態様７）
態様１〜５のいずれか１項に記載されたペット用使い捨てパンツ型おむつにおいて、
前記第１胴周り領域は前記腹側胴周り領域に形成され、前記第２胴周り領域は前記背側胴周り領域に形成されることを特徴とするペット用使い捨てパンツ型おむつ。
【００５３】
（態様８）
態様１〜５のいずれか１項に記載されたペット用使い捨てパンツ型おむつにおいて、
前記第１胴周り領域および前記第２胴周り領域は、前記背側胴周り領域に形成されることを特徴とするペット用使い捨てパンツ型おむつ。
【００５４】
（態様９）
態様１〜５のいずれか１項に記載されたペット用使い捨てパンツ型おむつにおいて、
前記第１胴周り領域および前記第２胴周り領域は、前記腹側胴周り領域に形成されることを特徴とするペット用使い捨てパンツ型おむつ。
【００５５】
（態様１０）
態様１〜９のいずれか１項に記載されたペット用使い捨てパンツ型おむつにおいて、
前記調整部は、前記第１胴周り領域に配置される第１配置部と、前記第２胴周り領域に配置される第２配置部と、前記第１胴周り領域と前記第２胴周り領域との間に設けられる調整本体部と、を有することを特徴とするペット用使い捨てパンツ型おむつ。
【００５６】
（態様１１）
態様１〜１０のいずれか１項に記載されたペット用使い捨てパンツ型おむつにおいて、
前記第１配置部もしくは前記第２配置部の少なくとも一方は、前記第１胴周り領域もしくは前記第２胴周り領域の少なくとも一方に固定される固定部であることを特徴とするペット用使い捨てパンツ型おむつ。
【００５７】
（態様１２）
態様１〜１１のいずれか１項に記載されたペット用使い捨てパンツ型おむつにおいて、
前記第１配置部もしくは前記第２配置部の少なくとも一方は、前記第１胴周り領域もしくは前記第２領域の少なくとも一方に着脱自在に係止される係止部であることを特徴とするペット用使い捨てパンツ型おむつ。
【００５８】
（態様１３）
態様１〜５のいずれか１項に記載されたペット用使い捨てパンツ型おむつにおいて、
前記調整部は、環状に形成された環状部と、当該環状部に伸長状態で設けられた環状部伸縮性弾性部材と、を有することを特徴とするペット用使い捨てパンツ型おむつ。
【００５９】
（態様１４）
態様１〜５のいずれか１項に記載されたペット用使い捨てパンツ型おむつにおいて、
前記調整部は、帯状に形成された帯状体と、当該帯状部に設けられた第１帯状体領域と、第２帯状体領域と、前記第１帯状部領域と前記第２帯状部領域との任意の位置を着脱自在に係止する帯状体係止部と、を有することを特徴とするペット用使い捨てパンツ型おむつ。
【００６０】
（態様１５）
態様１〜１４のいずれか１項に記載されたペット用使い捨てパンツ型おむつにおいて、
前記第１胴周り領域と前記第２胴周り領域との間には、調整領域が形成されることを特徴とするペット用使い捨てパンツ型おむつ。
【００６１】
（態様１６）
態様１５に記載されたペット用使い捨てパンツ型おむつにおいて、
前記調整領域における前記胴周り領域の所定箇所には、前記胴周り領域の前記長手交差方向において、ペットＰの胴周りに対する周囲長さを構成しない部分である余剰部が形成されることを特徴とするペット用使い捨てパンツ型おむつ。
【符号の説明】
【００６２】
１００  ペット用使い捨てパンツ型おむつ
１００Ｙ１  胴周り開口方向
１００Ｙ２  脚周り開口方向
１００Ｚ１  外側領域
１００Ｚ２  内側領域
１１０  胴周り領域
１１０Ａ  胴周り開口方向領域
１１０Ｂ  脚周り開口方向領域
１１０Ｃ  腹側胴周り領域
１１０Ｄ  背側胴周り領域
１１０ＹＣ  胴周り領域中心点
１１１  第１胴周り領域
１１２  第２胴周り領域
１２０  股下領域
１３０  胴周り開口
１４０  脚周り開口
１５０  尻尾挿通開口
１６０  吸収性コア
１７０  伸縮性弾性部材
１７１  胴周り開口用伸縮性弾性部材
１７２  胴周り用伸縮性弾性部材
１７３  脚周り用伸縮性弾性部材
１８０  調整領域
１８１  余剰部
１９０  接合部
２００、２１０、２２０、２３０  調整部
２００Ａ  第１配置部
２００Ｂ  第２配置部
２００Ｃ  調整本体部
２００Ｄ  固定部
２００Ｅ  止着部
２００Ｆ  止着領域
２０１  第１調整部
２０２  第２調整部
２２１  環状部
２２２  環状部伸縮性弾性部材
２３１  帯状体
２３２  第１帯状体領域
２３３  第２帯状体領域
２３４  帯状体係止部
Ｐ  ペット
Ｘ  長手交差方向
Ｙ  長手方向
Ｚ  厚み方向
【図１】
2014233257.tif 000003
【図２】
2014233257.tif 000004
【図３】
2014233257.tif 000005
【図４】
2014233257.tif 000006
【図５】
2014233257.tif 000007
【図６】
2014233257.tif 000008
【図７】
2014233257.tif 000009
【図８】
2014233257.tif 000010
【図９】
2014233257.tif 000011